(57)【特許請求の範囲】
【請求項１】
被写体像を電気信号に変換する固体撮像素子と、
自装置の姿勢を検出し、当該検出した姿勢に基づく姿勢信号を出力する姿勢検出手段と、
動画像の撮影時に、前記姿勢信号に基づいて、前記固体撮像素子の垂直方向に位置する一定数の画素の電気信号を加算して読み出す第１の加算読み出しモードと、前記固体撮像素子の水平方向に位置する一定数の画素の電気信号を加算して読み出す第２の加算読み出しモードとのいずれかで前記固体撮像素子を駆動するように制御する制御手段と、
を有することを特徴とする撮像装置。
【請求項２】
被写体像を電気信号に変換する固体撮像素子を具備する撮像装置の制御方法であって、
前記撮像装置の姿勢を検出し、当該検出した姿勢に基づく姿勢信号を出力する姿勢検出ステップと、
動画像の撮影時に、前記姿勢信号に基づいて、前記固体撮像素子の垂直方向に位置する一定数の画素の電気信号を加算して読み出す第１の加算読み出しモードと、前記固体撮像素子の水平方向に位置する一定数の画素の電気信号を加算して読み出す第２の加算読み出しモードとのいずれかで前記固体撮像素子を駆動するように制御する制御ステップと、
を有することを特徴とする撮像装置の制御方法。
【発明の詳細な説明】
【技術分野】
【０００１】
本発明は、被写体像を電気信号に変換する固体撮像素子を具備する撮像装置及びその制御方法に関する。
【背景技術】
【０００２】
近年、数百万を超える画素を持つ固体撮像素子がデジタルスチルカメラなどの撮像装置に多く用いられている。このような多画素の固体撮像素子は、高精細な静止画像を撮影する上において非常に有用である。
【０００３】
一方、このような多画素の固体撮像素子で動画像を撮影する場合は、処理時間の問題から、画素の間引き処理あるいは画素の加算処理を行うのが一般的である。この間引き処理と加算処理は、厳密に言うと異なる処理であるが、ここでは両者をまとめて「間引き」と称することにする。多くの固体撮像素子では、画素から信号電荷を読み出す際に、垂直方向に間引いて、即ち各水平ラインの画素の信号電荷を一定の割合で間引いて読み出す方法が用いられている。
【０００４】
ところで、静止画であれ動画であれ、被写体によっては撮影画像が横長になるようにカメラを構えたり、あるいは撮影画像が縦長になるようにカメラを構えたりする。撮影された画像は、カメラ自身はもちろんのこと、ＰＣやＴＶモニターなどで再生することができる。通常、再生装置の画面は横長であり、例えばＮＴＳＣ方式のＴＶでは、縦：横のアスペクト比が３：４となっている。ほとんどの撮像素子はこのアスペクト比に合わせて構成されており、横長に撮影された画像をそのまま再生装置で横長になるように再生処理を行うと、違和感のない自然な再生画像が得られることになる。
【０００５】
一方、縦長に撮影された画像をそのまま再生装置で再生すると、被写体が横に傾いた画像が再生されることになり、再生画像が非常に見難いものになってしまう。その対策の一例として、特許文献１では、静止画撮影時にカメラの姿勢検出を行い、その検出結果によって静止画像を記録する方向（横長か縦長か）を変えるようにしている。そのため、縦長に撮影された静止画像を再生しても、見た目には違和感のない再生画像となる。
【０００６】
【特許文献１】特開平７−１４３４３４号公報
【発明の開示】
【発明が解決しようとする課題】
【０００７】
前述したように、動画像を撮影する場合は、処理時間の問題から間引き処理を行うのが一般的であり、多くの固体撮像素子では、画素から信号電荷を読み出す際に、垂直方向に間引いて、即ち各水平ラインの画素の信号電荷を一定の割合で間引いて読み出している。この時、固体撮像素子から読み出された直後の画像信号の画素数は、水平方向が全画素（例えば５００画素クラスのＣＣＤならば２５００ピクセル程度）あるのに対して、垂直方向は間引かれて読み出されるため、場合によっては水平方向の１／１０程度になってしまう。
【０００８】
ここで、特にＴＶモニターに再生させることを考えると、ＴＶモニターの垂直解像度は走査線数によって上限が決まってしまうため、撮影画像の垂直方向の画素数（水平ライン数）は最大で走査線数分だけあればよいことになる。前述のように、動画撮影時の間引き読み出しにおいては、固体撮像素子から垂直方向に間引かれた画像信号が出力されるので、これはＴＶモニターの特性に合った読み出し方法であると言うことができる。
【０００９】
しかしながら、縦長の画像が得られる向きで撮影を行った場合、見た目に違和感のないように撮影された動画像の向きを変えて再生することを考えると、ＴＶモニターで言う垂直方向には十分に画素数があるが、水平方向は間引いて読み出しているために画素数が少なく、ＴＶモニター上の水平解像度が低下してしまうという問題があった。
【００１０】
本発明はこの問題点に鑑みてなされたものであり、撮像装置を縦長に構えて撮影した動画像を再生する場合であっても、表示装置における水平解像度の低下を抑えることを可能とする撮像装置を提供することを目的とする。
【課題を解決するための手段】
【００１１】
本発明の撮像装置は、被写体像を電気信号に変換する固体撮像素子と、自装置の姿勢を検出し、当該検出した姿勢に基づく姿勢信号を出力する姿勢検出手段と、動画像の撮影時に、前記姿勢信号に基づいて、前記固体撮像素子の垂直方向に位置する一定数の画素の電気信号を加算して読み出す第１の加算読み出しモードと、前記固体撮像素子の水平方向に位置する一定数の画素の電気信号を加算して読み出す第２の加算読み出しモードとのいずれかで前記固体撮像素子を駆動するように制御する制御手段と、を有する。
【００１２】
本発明の撮像装置の制御方法は、被写体像を電気信号に変換する固体撮像素子を具備する撮像装置の制御方法であって、前記撮像装置の姿勢を検出し、当該検出した姿勢に基づく姿勢信号を出力する姿勢検出ステップと、動画像の撮影時に、前記姿勢信号に基づいて、前記固体撮像素子の垂直方向に位置する一定数の画素の電気信号を加算して読み出す第１の加算読み出しモードと、前記固体撮像素子の水平方向に位置する一定数の画素の電気信号を加算して読み出す第２の加算読み出しモードとのいずれかで前記固体撮像素子を駆動するように制御する制御ステップと、を有する。
【発明の効果】
【００１３】
本発明によれば、撮像装置の姿勢を検出し、当該検出した姿勢に基づいて固体撮像素子の駆動を制御するようにしたので、撮像装置を縦長に構えて撮影した動画像を再生する場合であっても、表示装置における水平解像度の低下を抑えることが可能になる。
【発明を実施するための最良の形態】
【００１４】
以下、本発明に係る諸実施形態を添付図面を参照しながら説明する。
【００１５】
（第１の実施形態）
図１は、第１の実施形態に係る撮像装置の概略構成を示すブロック図である。
レンズユニット１０は、被写体からの光学像を集光する。ＣＣＤ１１は、光電変換素子を含む画素が２次元行列状に配置されて形成されており、レンズユニット１０を介して入射した被写体像を電気信号に変換する固体撮像素子である。アナログ信号処理回路１２は、ＣＣＤ１１から出力されたアナログ信号の処理を行う。タイミング発生回路１３は、ＣＣＤ１１の駆動タイミング及びアナログ信号処理回路１２の動作タイミングを指示する。
【００１６】
Ａ／Ｄ変換器１４は、アナログ信号処理回路１２で処理されたアナログ信号をデジタル信号に変換する。デジタル信号処理回路１５は、画像メモリを含み、Ａ／Ｄ変換器１４で変換されたデジタル信号に対して各種信号処理を行い、画像データを生成する。
【００１７】
記録媒体１６は、デジタル信号処理回路１５で生成された画像データを記録するためのものである。表示装置１７は、撮像装置本体に装着された液晶モニター（ＬＣＤ）、あるいは当該撮像装置に接続されたＰＣやＴＶモニター等であり、デジタル信号処理回路１５で生成された画像データを表示するためのものである。姿勢検出装置１９は、自装置（撮像装置）の撮影時における姿勢を検出し、当該検出した姿勢に基づく姿勢信号をＣＰＵ１８に出力する。ＣＰＵ１８は、撮像装置のそれぞれの回路やユニットなどの動作を統括的に制御する。特に、ＣＰＵ１８は、姿勢検出装置１９から姿勢信号が入力された場合には、当該姿勢信号に基づいて、ＣＣＤ１１の駆動方法を制御する。撮影モード入力装置２０は、例えばモードダイヤル等で構成されており、撮影者が所望する撮影モードを入力するためのものである。
【００１８】
次に、本実施形態に係る撮像装置の被写体撮影時の動作について説明する。
ＣＰＵ１８は、被写体の明るさに応じてレンズユニット１０の絞りを制御することによりＣＣＤ１１に入射する被写体像の光量を調整し、さらに、タイミング発生回路１３を介してＣＣＤ１１の電荷蓄積時間を変化させて露光量を制御する。
【００１９】
そして、ＣＣＤ１１では、各画素ごとに、受像面に結像された被写体像をその光量に応じた量の信号電荷（電気信号）に変換して蓄積する。このＣＣＤ１１の各画素に蓄積された信号電荷は、タイミング発生回路１３から入力される転送パルスによってＣＣＤ１１内の出力回路に順次転送され、当該出力回路で信号電圧に変換された後に順次読み出されて、アナログ信号処理回路１２へ出力される。
【００２０】
アナログ信号処理回路１２は、主にＣＤＳ（相関二重サンプリング）回路とＧＣＡ（ゲインコントロールアンプ）から構成され、ＣＣＤ１１から出力されたアナログ信号に対してノイズの除去処理や増幅処理などを行う。そして、アナログ信号処理回路１２からの出力は、Ａ／Ｄ変換器１４へ入力され、デジタル信号に変換される。
【００２１】
デジタル信号処理回路１５では、Ａ／Ｄ変換器１４で変換されたデジタル信号に対して、目的に応じて必要な信号処理を行う。画像を記録する場合には、デジタル信号処理回路１５で必要な処理が行われた後に、生成された画像データが記録媒体１６へと出力される。また、画像を表示する場合には、デジタル信号処理回路１５で必要な処理が行われた後に、生成された画像データに基づく画像が表示装置１７へと出力される。
【００２２】
図２は、第１の実施形態に係る撮像装置のＣＣＤ１１における第１の間引き読み出しモードの駆動を示す模式図である。図２に示すように、ＣＣＤ１１には、フォトダイオードで形成される光電変換素子２４を含む画素が２次元行列状に配置されており、各光電変換素子２４には、「Ｇ」、「Ｂ」及び「Ｒ」の色フィルタのうち、いずれかの色フィルタが設けられている。
【００２３】
光電変換素子２４に蓄積された信号電荷は、タイミング発生回路１３から入力される読み出しパルスによって、垂直転送路２１へと読み出される。垂直転送路２１へと読み出された信号電荷は、垂直転送パルスによって順次転送されて水平転送路２２へ送られる。さらに、水平転送路２２へ送られた信号電荷は、水平転送パルスによって順次、出力回路２３に転送され、当該出力回路２３で電圧に変換された後に、アナログ信号処理回路１２へと出力される。
【００２４】
図２に示すＣＣＤ１１は、例えば、横２５６０×縦１９２０の画素を有している。第１の間引き読み出しモードでは、垂直方向の８ラインを周期として、８つの水平ラインのうちの２ラインだけを読み出し、垂直方向を１／４に間引いた画像信号が出力される。ここで、図２の白抜き文字の画素が、読み出されずに間引かれる画素である。この第１の間引き読み出しモードにより、１フレームあたり、横２５６０×縦４８０画素分の画像信号が出力されることになる。
【００２５】
図３は、第１の実施形態に係る撮像装置のＣＣＤ１１における第２の間引き読み出しモードの駆動を示す模式図である。
第２の間引き読み出しモードでは、垂直方向の４ラインを周期として、４つの水平ラインのうちの２ラインだけを読み出し、垂直方向を１／２に間引いた画像信号が出力される。ここで、図２の場合と同様に、図３の白抜き文字の画素が、読み出されずに間引かれる画素である。この第２の間引き読み出しモードにより、１フレームあたり、横２５６０×縦９６０画素分の画像信号が出力されることになる。
【００２６】
図４は、第１の実施形態に係る撮像装置において、動画撮影モード時の第１の処理例を示すフローチャートである。
撮影者がモードダイヤル等で構成される撮影モード入力装置２０に対して動画撮影モードを入力すると、ＣＰＵ１８は、撮像装置の撮影モードを動画撮影モードに移行し、まず最初に、ＥＶＦ画像の表示処理を行う（ステップＳ１０）。ここで、ＥＶＦ画像とは、デジタルスチルカメラ等の撮像装置では今や当たり前となっている撮影確認用（モニタリング）に表示装置１７に表示されるリアルタイム画像のことである。
【００２７】
このＥＶＦ画像の表示を続けながら、ＣＰＵ１８は、レリーズボタン（不図示）が押されてレリーズボタンがオンとなったか否かを判断する（ステップＳ１１）。レリーズボタンが押されずオンになっていない場合には、ステップＳ１１で待機する。一方、レリーズボタンが押されてオンになった場合には、続いて、ＣＰＵ１８は、姿勢検出装置１９から送られる姿勢信号に基づいて、当該カメラの姿勢が横であるか縦であるかを判断する（ステップＳ１２）。なお、ここでは横長の静止画（例えば、横２５６０×縦１９２０画素分の画像）が記録される向きを「カメラの姿勢が横」であるとし、縦長の静止画（例えば、横１９２０×縦２５６０画素分の画像）が記録される向きを「カメラの姿勢が縦」であるとする。
【００２８】
ステップＳ１２でカメラの姿勢が横であると判断された場合には、続いて、ＣＰＵ１８は、ＣＣＤ１１が第１の間引き読み出しモードで駆動するようにＣＣＤ１１を制御する（ステップＳ１３）。この際、タイミング発生回路１３を介してＣＣＤ１１を制御するようにしてもよい。
【００２９】
一方、ステップＳ１２でカメラの姿勢が縦であると判断された場合には、続いて、ＣＰＵ１８は、ＣＣＤ１１が第２の間引き読み出しモードで駆動するようにＣＣＤ１１を制御する（ステップＳ１４）。この際、タイミング発生回路１３を介してＣＣＤ１１を制御するようにしてもよい。
【００３０】
ステップＳ１３又はステップＳ１４によりカメラの姿勢に基づくＣＣＤ１１の駆動方法が選択あるいは変更された後に、動画の記録が開始される（ステップＳ１５）。
【００３１】
図５は、第１の実施形態に係る撮像装置において、動画撮影モード時の第２の処理例を示すフローチャートである。
撮影者がモードダイヤル等で構成される撮影モード入力装置２０に対して動画撮影モードを入力すると、ＣＰＵ１８は、撮像装置の撮影モードを動画撮影モードに移行し、まず最初に、ＥＶＦ画像の表示処理を行う（ステップＳ２０）。
【００３２】
続いて、ＣＰＵ１８は、姿勢検出装置１９から送られる姿勢信号に基づいて、当該カメラの姿勢が横であるか縦であるかを判断する（ステップＳ２１）。そして、カメラの姿勢が横であると判断された場合には、続いて、ＣＰＵ１８は、ＣＣＤ１１が第１の間引き読み出しモードで駆動するようにＣＣＤ１１を制御する（ステップＳ２２）。この際、タイミング発生回路１３を介してＣＣＤ１１を制御するようにしてもよい。
【００３３】
一方、ステップＳ２１でカメラの姿勢が縦であると判断された場合には、続いて、ＣＰＵ１８は、ＣＣＤ１１が第２の間引き読み出しモードで駆動するようにＣＣＤ１１を制御する（ステップＳ２３）。この際、タイミング発生回路１３を介してＣＣＤ１１を制御するようにしてもよい。
【００３４】
ステップＳ２２又はステップＳ２３の処理は終了した後、続いて、ＣＰＵ１８は、レリーズボタン（不図示）が押されてレリーズボタンがオンとなったか否かを判断する（ステップＳ２４）。レリーズボタンが押されずオンになっていない場合には、ステップＳ２１に戻る。一方、レリーズボタンが押されてオンになった場合には、動画の記録が開始される（ステップＳ２５）。
【００３５】
記録媒体１６に記録された動画像データは、当該撮像装置自身で再生することができるるのはもちろんのこと、当該撮像装置に接続されたＰＣやＴＶモニターでも再生することができる。
【００３６】
図６は、接続されたＴＶモニター（表示装置１７）に動画像を再生する際の処理を示す模式図である。ここでいうＴＶモニターとは、現在、一般家庭で最も多く使われているＮＴＳＣ方式のものを想定している。ここで、例えば、静止画読み出し時の画像信号サイズ３０ａ，３０ｂが、横２５６０×縦１９２０画素分の画像信号であるとする。また、画像信号サイズ３０ａはカメラの姿勢が横で撮影された場合の画像信号、画像信号サイズ３０ｂはカメラの姿勢が縦で撮影された場合の画像信号であるとする。
【００３７】
動画撮影時にカメラの姿勢が横であった場合には、第１の間引き読み出しモードに設定されるため、当該第１の間引き読み出しモードで読み出される画像信号サイズ３１は、横２５６０×縦４８０画素分の画像信号となる。ここで、ＴＶモニターの表示画像サイズ３３としては、例えば、横７２０×縦４８０画素分の画像信号を表示することができるため、画像信号サイズ３１は、横７２０×縦４８０画素分の動画像サイズ３４へと変換される。
【００３８】
仮に、動画撮影時にカメラの姿勢が縦であっても読み出しモードが変更されないとすると、読み出される画像信号サイズ３２は、横４８０×縦２５６０画素分の画像信号となる。ここで、画像信号サイズ３２は、ＣＣＤ１１から出力される画像信号を９０°回転させたものである。再生処理において水平方向の拡大を行わない場合は、動画像サイズ３５は横が４８０画素分の画像となり、ＴＶモニターの表示画像サイズ３３に対して左右に画像情報が無いエリアが存在し、例えば、真っ黒に表示されることになる。ここで、ＴＶモニターの表示画像サイズ３３に対して水平方向一杯に画像を表示させることを考えると、必要な動画像サイズ３６は、横７２０×縦８５３画素分の画像となる。したがって、水平方向に拡大処理を行う必要があり、表示画像の水平解像度が本来表示可能な水平解像度以下に低下してしまうことになる。
【００３９】
そこで本発明では、カメラの姿勢が縦である場合には、第２の間引き読み出しモードに設定して動画像の記録を行うこととしている。図７は、第１の実施形態に係る撮像装置において、当該撮像装置の姿勢が縦で撮影された場合にＴＶモニター（表示装置１７）に動画像を再生する際の処理を示す模式図である。
【００４０】
動画撮影時にカメラの姿勢が縦であった場合には、第２の間引き読み出しモードに設定されるため、当該第２の間引き読み出しモードで読み出される画像信号サイズ４０は、横９６０×縦２５６０画素分の画像信号となる。ここで、画像信号サイズ４０は、ＣＣＤ１１から出力される画像信号を９０°回転させたものである。再生処理において水平方向の拡大を行わない場合は、動画像サイズ４１は横が９６０画素分の画像となり、これはＴＶモニターの表示画像サイズ３３を上回る画像情報である。ここで、ＴＶモニターの表示画像サイズ３３に対して水平方向一杯に画像を表示させることを考えると、必要な動画像サイズ３６は、横が７２０画素分の画像であれば良く、この場合には縮小処理を行うことになる。このため、表示画像の水平解像度は、ＴＶモニターの水平解像度以下に低下することはない。
【００４１】
（第２の実施形態）
次に、本発明の第２の実施形態について説明する。
第２の実施形態に係る撮像装置の概略構成については、第１の実施形態に係る撮像装置と同様に、図１に示すものとなる。
【００４２】
図８は、第２の実施形態に係る撮像装置のＣＣＤ１１における第１の加算読み出しモードの駆動を示す模式図である。図８に示すように、ＣＣＤ１１には、フォトダイオードで形成される光電変換素子２４を含む画素が２次元行列状に配置されており、各光電変換素子２４には、「Ｇ」、「Ｂ」及び「Ｒ」の色フィルタのうち、いずれかの色フィルタが設けられている。
【００４３】
光電変換素子２４に蓄積された信号電荷は、タイミング発生回路１３から入力される読み出しパルスによって、垂直転送路２１へと読み出される。垂直転送路２１へと読み出された信号電荷は、垂直転送パルスによって順次転送されて水平転送路２２へ送られる。さらに、水平転送路２２へ送られた信号電荷は、水平転送パルスによって順次、出力回路２３に転送され、当該出力回路２３で電圧に変換された後に、アナログ信号処理回路１２へと出力される。
【００４４】
図８に示すＣＣＤ１１は、例えば、横２５６０×縦１９２０の画素を有している。第１の加算読み出しモードでは、図８の矢印で示すように、垂直方向に位置し且つ同色フィルタを具備する画素を３画素ずつ加算して読み出し、垂直方向が１／３に圧縮された画像信号が出力される。この第１の加算読み出しモードにより、１フレームあたり、横２５６０×縦６４０画素分の画像信号が出力されることになる。
【００４５】
図９は、第２の実施形態に係る撮像装置のＣＣＤ１１における第２の加算読み出しモードの駆動を示す模式図である。
第２の加算読み出しモードでは、図９の矢印で示すように、水平方向に位置し且つ同色フィルタを具備する画素を３画素ずつ加算して読み出し、水平方向が１／３に圧縮された画像信号が出力される。この第２の加算読み出しモードにより、１フレームあたり、横８５３×縦１９２０画素分の画像信号が出力されることになる。
【００４６】
図１０は、第２の実施形態に係る撮像装置において、動画撮影モード時の第１の処理例を示すフローチャートである。
撮影者がモードダイヤル等で構成される撮影モード入力装置２０に対して動画撮影モードを入力すると、ＣＰＵ１８は、撮像装置の撮影モードを動画撮影モードに移行し、まず最初に、ＥＶＦ画像の表示処理を行う（ステップＳ３０）。
【００４７】
このＥＶＦ画像の表示を続けながら、ＣＰＵ１８は、レリーズボタン（不図示）が押されてレリーズボタンがオンとなったか否かを判断する（ステップＳ３１）。レリーズボタンが押されずオンになっていない場合には、ステップＳ３１で待機する。一方、レリーズボタンが押されてオンになった場合には、続いて、ＣＰＵ１８は、姿勢検出装置１９から送られる姿勢信号に基づいて、当該カメラの姿勢が横であるか縦であるかを判断する（ステップＳ３２）。
【００４８】
ステップＳ３２でカメラの姿勢が横であると判断された場合には、続いて、ＣＰＵ１８は、ＣＣＤ１１が第１の加算読み出しモードで駆動するようにＣＣＤ１１を制御する（ステップＳ３３）。この際、タイミング発生回路１３を介してＣＣＤ１１を制御するようにしてもよい。
【００４９】
一方、ステップＳ３２でカメラの姿勢が縦であると判断された場合には、続いて、ＣＰＵ１８は、ＣＣＤ１１が第２の加算読み出しモードで駆動するようにＣＣＤ１１を制御する（ステップＳ３４）。この際、タイミング発生回路１３を介してＣＣＤ１１を制御するようにしてもよい。
【００５０】
ステップＳ３３又はステップＳ３４によりカメラの姿勢に基づくＣＣＤ１１の駆動方法が選択あるいは変更された後に、動画の記録が開始される（ステップＳ３５）。
【００５１】
図１１は、第２の実施形態に係る撮像装置において、動画撮影モード時の第２の処理例を示すフローチャートである。
撮影者がモードダイヤル等で構成される撮影モード入力装置２０に対して動画撮影モードを入力すると、ＣＰＵ１８は、撮像装置の撮影モードを動画撮影モードに移行し、まず最初に、ＥＶＦ画像の表示処理を行う（ステップＳ４０）。
【００５２】
続いて、ＣＰＵ１８は、姿勢検出装置１９から送られる姿勢信号に基づいて、当該カメラの姿勢が横であるか縦であるかを判断する（ステップＳ４１）。そして、カメラの姿勢が横であると判断された場合には、続いて、ＣＰＵ１８は、ＣＣＤ１１が第１の加算読み出しモードで駆動するようにＣＣＤ１１を制御する（ステップＳ４２）。この際、タイミング発生回路１３を介してＣＣＤ１１を制御するようにしてもよい。
【００５３】
一方、ステップＳ４１でカメラの姿勢が縦であると判断された場合には、続いて、ＣＰＵ１８は、ＣＣＤ１１が第２の加算読み出しモードで駆動するようにＣＣＤ１１を制御する（ステップＳ４３）。この際、タイミング発生回路１３を介してＣＣＤ１１を制御するようにしてもよい。
【００５４】
ステップＳ４２又はステップＳ４３の処理は終了した後、続いて、ＣＰＵ１８は、レリーズボタン（不図示）が押されてレリーズボタンがオンとなったか否かを判断する（ステップＳ４４）。レリーズボタンが押されずオンになっていない場合には、ステップＳ４１に戻る。一方、レリーズボタンが押されてオンになった場合には、動画の記録が開始される（ステップＳ４５）。
【００５５】
図１２は、第２の実施形態に係る撮像装置において、当該撮像装置の姿勢が横で撮影された場合にＴＶモニター（表示装置１７）に動画像を再生する際の処理を示す模式図である。ここで、画像信号サイズ５０ａは、カメラの姿勢が横で撮影された場合の静止画読み出し時の画像信号であり、例えば、横２５６０×縦１９２０画素分の画像信号であるとする。
【００５６】
動画撮影時にカメラの姿勢が横であった場合には、第１の加算読み出しモードに設定されるため、当該第１の加算読み出しモードで読み出される画像信号サイズ５１は、横２５６０×縦６４０画素分の画像信号となる。ここで、ＴＶモニターの表示画像サイズ３３としては、例えば、横７２０×縦４８０画素分の画像信号を表示することができるため、動画像サイズ５２は、ＴＶモニターの表示画像サイズ３３を上回る画像情報である。さらに、動画像サイズ５２を縮小処理すると、ＴＶモニターの表示画像サイズ３３一杯に動画像を表示させることができる。この場合、表示画像の水平解像度は、本来表示可能な水平解像度以下に低下に低下することはない。
【００５７】
図１３は、第２の実施形態に係る撮像装置において、当該撮像装置の姿勢が縦で撮影された場合にＴＶモニター（表示装置１７）に動画像を再生する際の処理を示す模式図である。ここで、画像信号サイズ５０ｂは、カメラの姿勢が縦で撮影された場合の静止画読み出し時の画像信号であり、例えば、横２５６０×縦１９２０画素分の画像信号であるとする。
【００５８】
動画撮影時にカメラの姿勢が縦であった場合には、第２の加算読み出しモードに設定されるため、当該第２の加算読み出しモード読み出される画像信号サイズ６０は、横１９２０×縦８５３画素分の画像信号となる。ここで、画像信号サイズ６０は、ＣＣＤ１１から出力される画像信号を９０°回転させたものである。ＴＶモニターの表示画像サイズ３３の水平方向一杯に画像を表示させる場合に必要な動画像サイズ３６は、横７２０×縦８５３画素分の画像信号であるため、画像信号サイズ６０は、動画像サイズ６１（横７２０×縦８５３画素分の画像）へと変換される。この場合、拡大処理を行う必要はないので、表示画像の水平解像度は、ＴＶモニターの水平解像度以下に低下することはない。
【００５９】
以上説明したように、本発明の諸実施形態によれば、姿勢検出装置１９が動画像撮影時の撮像装置の姿勢を検出し、ＣＰＵ１８が姿勢検出装置１９で検出した撮像装置の姿勢に基づいてＣＣＤ１１における駆動方法を制御するようにしたので、撮像装置の姿勢に適した駆動方法でＣＣＤ１１を駆動させることができる。これにより、撮像装置を縦長に構えて撮影した動画像を再生する場合であっても、表示装置における水平解像度の低下を抑えることが可能になる。
【００６０】
前述した本発明の実施形態に係る撮像装置を構成する図１の各手段、並びに撮像装置の制御方法を示した図４、図５、図１０及び図１１の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００６１】
具体的に、前記プログラムは、例えばＣＤ−ＲＯＭのような記憶媒体に記録し、あるいは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６２】
また、コンピュータが供給されたプログラムを実行することにより本発明の実施形態に係る撮像装置の機能が実現されるだけでなく、そのプログラムがコンピュータにおいて稼働しているＯＳ（オペレーティングシステム）あるいは他のアプリケーションソフト等と共同して本発明の実施形態に係る撮像装置の機能が実現される場合や、供給されたプログラムの処理の全て、あるいは一部がコンピュータの機能拡張ボードや機能拡張ユニットにより行われて本発明の実施形態に係る撮像装置の機能が実現される場合も、かかるプログラムは本発明に含まれる。
【図面の簡単な説明】
【００６３】
【図１】第１の実施形態に係る撮像装置の概略構成を示すブロック図である。
【図２】第１の実施形態に係る撮像装置のＣＣＤにおける第１の間引き読み出しモードの駆動を示す模式図である。
【図３】第１の実施形態に係る撮像装置のＣＣＤにおける第２の間引き読み出しモードの駆動を示す模式図である。
【図４】第１の実施形態に係る撮像装置において、動画撮影モード時の第１の処理例を示すフローチャートである。
【図５】第１の実施形態に係る撮像装置において、動画撮影モード時の第２の処理例を示すフローチャートである。
【図６】接続されたＴＶモニター（表示装置）に動画像を再生する際の処理を示す模式図である。
【図７】第１の実施形態に係る撮像装置において、当該撮像装置の姿勢が縦で撮影された場合にＴＶモニター（表示装置）に動画像を再生する際の処理を示す模式図である。
【図８】第２の実施形態に係る撮像装置のＣＣＤにおける第１の加算読み出しモードの駆動を示す模式図である。
【図９】第２の実施形態に係る撮像装置のＣＣＤにおける第２の加算読み出しモードの駆動を示す模式図である。
【図１０】第２の実施形態に係る撮像装置において、動画撮影モード時の第１の処理例を示すフローチャートである。
【図１１】第２の実施形態に係る撮像装置において、動画撮影モード時の第２の処理例を示すフローチャートである。
【図１２】第２の実施形態に係る撮像装置において、当該撮像装置の姿勢が横で撮影された場合にＴＶモニター（表示装置）に動画像を再生する際の処理を示す模式図である。
【図１３】第２の実施形態に係る撮像装置において、当該撮像装置の姿勢が縦で撮影された場合にＴＶモニター（表示装置）に動画像を再生する際の処理を示す模式図である。
【符号の説明】
【００６４】
１０：レンズユニット
１１：ＣＣＤ（固体撮像素子）
１２：アナログ信号処理回路
１３：タイミング発生回路
１４：Ａ／Ｄ変換器
１５：デジタル信号処理回路
１６：記録媒体
１７：表示装置
１８：ＣＰＵ
１９：姿勢検出装置
２０：撮影モード入力装置
２１：垂直転送路
２２：水平転送路
２３：出力回路
２４：光電変換素子（フォトダイオード）
３０ａ、３０ｂ：静止画読み出し時の画像信号サイズ
３１：第１の間引き読み出しモードにおける横長の読み出し信号サイズ
３２：第１の間引き読み出しモードにおける縦長の読み出し信号サイズ
３３：ＴＶモニターの表示画像サイズ
３４：第１の間引き読み出しモードにおける横長の動画像サイズ
３５：第１の間引き読み出しモードにおける縦長の動画像サイズ（その１）
３６：第１の間引き読み出しモードにおける縦長の動画像サイズ（その２）
４０：第２の間引き読み出しモードにおける縦長の読み出し信号サイズ
４１：第２の間引き読み出しモードにおける動画像サイズ
５０ａ、５０ｂ：静止画読み出し時の画像信号サイズ
５１：第１の加算読み出しモードにおける読み出し信号サイズ
５２：第１の加算読み出しモードにおける動画像サイズ
６０：第２の加算読み出しモードにおける読み出し信号サイズ
６１：第２の加算読み出しモードにおける動画像サイズ
【図１】
0004769589.tif 000002
【図２】
0004769589.tif 000003
【図３】
0004769589.tif 000004
【図４】
0004769589.tif 000005
【図５】
0004769589.tif 000006
【図６】
0004769589.tif 000007
【図７】
0004769589.tif 000008
【図８】
0004769589.tif 000009
【図９】
0004769589.tif 000010
【図１０】
0004769589.tif 000011
【図１１】
0004769589.tif 000012
【図１２】
0004769589.tif 000013
【図１３】
0004769589.tif 000014